(57)【特許請求の範囲】
【請求項１】
露出条件を導くために画面内の複数の領域を測光することが可能な分割測光手段と、画面内の複数の焦点検出点について焦点検出を行う多点焦点検出手段とを有するカメラにおいて、
前記多点焦点検出手段は、前記分割測光手段の出力に基づく演算値と前記複数の焦点検出点に対応する前記分割測光手段の各領域の測光値とを比較し、その差が前もって決められた判定基準値よりも小さい領域に対応する焦点検出点については、焦点検出を行い、前記差が前記判定基準値よりも大きい領域に対応する焦点検出点については、焦点検出可能かどうかに拘らず、焦点検出を行わないようにしたことを特徴とするカメラ。
【請求項２】
前記多点焦点検出手段は、前記判定基準値を、一度合焦した場合はフォーカスロックするモードであるか、被写体を追い続けるモードであるかに応じて切り換えることを特徴とする請求項１記載のカメラ。
【請求項３】
前記多点焦点検出手段は、前記判定基準値を、前記焦点検出点により異なる値とすることを特徴とする請求項１記載のカメラ。
【発明の詳細な説明】
【０００１】
【発明の属する技術分野】
本発明は、分割測光手段と多点焦点検出手段とを有したカメラの改良に関するものである。
【０００２】
【従来の技術】
従来は、焦点検出センサの出力により被写体位置を推測し、合焦基準点をもとに分割測光の測光値を演算する構成となっていた。従って、複数の焦点検出点を有する場合には、各々の焦点検出センサの出力により被写体位置を推測し、合焦基準点を求める必要があった。
【０００３】
【発明が解決しようとする課題】
ところが、近年自動化の進歩に伴い、画面内の焦点検出点は増える傾向にあり、その演算時間が増大する傾向にある。また、その演算時間短縮の技術の要求が高まってきている。
【０００４】
（発明の目的）
本発明の目的は、焦点検出点を多く持つものにおいても、撮影シーンにより不要とみなせる焦点検出点については焦点検出動作を行わず、焦点検出に要する時間を短縮し、より最適な自動化を実現したカメラを提供しようとするものである。
【０００７】
【課題を解決するための手段】
上記目的を達成するために、本発明は、露出条件を導くために画面内の複数の領域を測光することが可能な分割測光手段と、画面内の複数の焦点検出点について焦点検出を行う多点焦点検出手段とを有するカメラにおいて、前記多点焦点検出手段が、前記分割測光手段の出力に基づく演算値と前記複数の焦点検出点に対応する前記分割測光手段の各領域の測光値とを比較し、その差が前もって決められた判定基準値よりも小さい領域に対応する焦点検出点については、焦点検出を行い、前記差が前記判定基準値よりも大きい領域に対応する焦点検出点については、焦点検出可能かどうかに拘らず、焦点検出を行わないようにしたカメラとするものである。
【００１５】
【発明の実施の形態】
以下、本発明を図示の実施の形態に基づいて詳細に説明する。
【００１６】
実施の第１の形態では、フィルムのＤＸコードのラチチュード情報を用いて、多点焦点検出の演算時間短縮を可能にする例について説明する。
【００１７】
図２は本発明の実施の第１の形態に係るカメラの電気的構成を示したブロック図で、１はカメラの各部の動きを制御するためのマイクロコンピュータである。２は撮影レンズ１３の焦点調節用モータと絞り羽根制御用モータを駆動制御するレンズ制御回路であり、前記マイクロコンピュータ１からＬＣＯＭ信号を受けている間、データバスＤＢＵＳを介してシリアル通信を行う。シリアル通信によりモータ駆動情報を受け取り、その情報により上記の各モータを駆動制御する。また、同時にレンズの各種の情報（焦点距離等）をシリアル通信によりマイクロコンピュータ１に送る。
【００１８】
３は、カメラのバッテリー残量や撮影枚数やＴＶ値，ＡＶ値，露出補正量等を撮影者に知らせる為の後述の液晶表示器１１，１２を駆動する液晶表示回路であり、前記マイクロコンピュータ１からＤＰＣＯＭ信号を受けている間、データバスＤＢＵＳを介しシリアル通信を行う。シリアル通信により表示データを受け取り、そのデータに従って液晶表示器１１，１２を駆動する。また、シリアル通信から送られてくるデータには、セグメントのどの部分を点滅表示するかの情報も含まれ、そのデータを受け取った場合は、それに従って前記液晶表示器１１，１２の指定されたセグメントの点滅表示を行う。
【００１９】
４は、撮影者が各撮影条件を設定するための後述のスイッチやカメラの状態を示すスイッチの状態を読み取り、前記マイクロコンピュータ１に送るスイッチセンス回路であり、ＳＷＣＯＭ信号を受けている間、データバスＤＢＵＳを介しシリアル通信によりマイクロコンピュータ１にスイッチデータを送る。また、電子ダイアル１０の入力値によりダイアル値のカウントアップ／カウントダウンも行い、ＳＷＣＯＭ信号を受けている間、データバスＤＢＵＳを介しシリアル通信によりマイクロコンピュータ１にカウント値を送る。本実施の形態では、以下で説明するスイッチＳＷ３からスイッチＳＷ５までの検知の他に、図５に示すＤＸ切片５０１〜５１２の検知も行う。
【００２０】
５はストロボの発光とＴＴＬ調光による発光停止機能を制御するストロボ発光調光制御回路であり、ＳＲＣＯＭ信号を受けている間、データバスＤＢＵＳを介して前記マイクロコンピュータ１とシリアル通信を行い、ストロボ制御に関するデータを受け取り各種の制御を行う。また、この回路は、外付けストロボ１４がカメラに装着された場合のインターフェースの働きも行う。よって、外付けストロボ１４が装着された場合は、該外付けストロボ１４と通信を行い、その情報（補助光が有るか無いか等）をマイクロコンピュータ１に送る。逆に、マイクロコンピュータ１からの制御信号を外付けストロボ１４に伝える役割も行う。
【００２１】
６は焦点検出回路であり、既存の位相差検出方式により焦点検出を行うためのラインセンサと、その蓄積読み出しの為の回路ユニットになったもので、前記マイクロコンピュータ１により制御される。マイクロコンピュータ１はセンサ出力のＡ／Ｄ値をもとに、既存のアルゴリズムで測距を行い、レンズ駆動量を演算した後に合焦するように前記レンズ制御回路２に演算で求めたレンズ駆動量を通信し、レンズを駆動し合焦させる。また、本実施の形態で用いる焦点検出装置は、図１（ａ）で示す様に複数（５個）の焦点検出点ａ〜ｅを持つ。
【００２２】
７は測光回路であり、被写体の測光を行い、前記マイクロコンピュータ１の制御により測光出力をマイクロコンピュータに送る。マイクロコンピュータ１は送られた測光出力をＡ／Ｄ変換し、露出条件（絞り，シャッタスピード）の演算に用いる。また、本実施の形態では、図１（ａ）に示す様に、画面内を複数のエリア１０１〜１１５に分割して測光を行うものである。
【００２３】
ここで、５個の焦点検出点ａ〜ｅに対応した測光エリア１０６〜１１０が必ずある事も、本実施の形態における特徴部分である。詳しくは、図１より
焦点検出点ａと測光エリア１０６
焦点検出点ｂと測光エリア１０７
焦点検出点ｃと測光エリア１０８
焦点検出点ｄと測光エリア１０９
焦点検出点ｅと測光エリア１１０
が、それぞれ対応している。
８はシャッタ制御回路であり、前記マイクロコンピュータ１の制御信号に従って、不図示のシャッタ先幕及び後幕の走行制御を行う。９は、給送モータやチャージモータを制御するモータ制御回路であり、前記マイクロコンピュータ１からの制御信号に従って、フィルムの給送（巻上げ，巻戻し）を行う。また、該モータ制御回路９は、ミラーアップ／チャージ（ミラーダウン）用モータの制御も行う。
【００２４】
ＳＷ１はカメラの動作を開始させるスイッチであり、該スイッチＳＷ１がＯＮされたことをマイクロコンピュータ１が認識すると、測光，焦点検出，表示をスタートさせる。ＳＷ２はカメラのレリーズ釦と連動したスイッチであり、該スイッチＳＷ２がＯＮされたことをマイクロコンピュータ１が認識すると、露光動作をスタートさせる。Ｘ接点はシャッタの先幕の走行完了のタイミングでＯＮし、ストロボ発光のタイミングを前記ストロボ発光調光制御回路５に知らせる役目をする。ＳＷ３は、カメラのモード（ＴＶ優先，ＡＶ優先，マニアル，プログラム等）を切り換えるためのモード切換えスイッチである。ＳＷ４はカメラの焦点検出モード切換え用のスイッチであり、ワンショットモードとサーボモードを切換え可能となっている。
【００２５】
１０は、ＴＶ値，ＡＶ値，モード等を変更するための電子ダイアルであり、例えば、モード切換えスイッチＳＷ３を押しながら該電子ダイアル１０を回転させると、“ＴＶ優先”→“ＡＶ優先”→“マニアル”→“プログラム”→“ＴＶ優先”→“ＡＶ優先”→“マニアル”→“プログラム”‥‥と変更され、撮影者の意図するモードに設定することができる。また、電子ダイアル１０を逆回転させた時は、“プログラム”→“マニアル”→“ＡＶ優先”→“ＴＶ優先”→“プログラム”→‥‥とモードは変更される。また、モード切換えスイッチＳＷ３と電子ダイアル１０によって“ＴＶ優先”がモードとして設定されている場合に、該電子ダイアル１０を回転させることにより、撮影者の希望とするＴＶ値を設定することができる。また、モード切換えスイッチＳＷ３と電子ダイアル１０により“ＡＶ優先”がモードとして設定されている場合に、該電子ダイアル１０を回転させることにより、撮影者の希望とするＡＶ値を設定することができる。
【００２６】
ＳＷ５はマニアル時にＴＶ値やＡＶ値をセットするためのスイッチであり、上記モード切換えスイッチＳＷ３と電子ダイアル１０により“マニアル”が選択されている場合に、該スイッチＳＷ５を押さずに電子ダイアル１０を回転させると、回転した分のＴＶ値がアップ／ダウンし、ＴＶ値の設定が可能となり、該スイッチＳＷ５を押しながら電子ダイアル１０を回転させると、回転した分のＡＶ値がアップ／ダウンし、ＡＶ値の設定が可能となる。
【００２７】
１１はカメラの外部に配置される液晶表示器であり、前述した様に液晶表示回路３により駆動される。１２はファインダ内に配置される液晶表示器であり、同じく前記液晶表示回路３により駆動される。１３は交換可能な撮影レンズであり、前記レンズ制御回路２を通して制御される。１４は前述した様に外付けストロボであり、前記ストロボ発光調光制御回路５を通して制御される。なお、この外付けストロボ１４は、カメラ本体とは別な電源を持っている。１５は自動焦点調節用の内蔵補助光駆動回路である。
【００２８】
次に、上記構成のカメラの一連の動作の概略を、図３のフローチャートを用いて説明する。
【００２９】
カメラのスイッチが押された等の要因によりカメラの電源が入ると、ステップ＃３０１において、スイッチセンス回路４からの情報をもとに、モードの切り換えや設定値の切り換えを行い、変化が有った場合は液晶表示回路３に通信をして、液晶表示器１１，１２に表示されている表示データを修正する等して、以下のステップ＃３０２以降の動作を開始する。
【００３０】
ステップ＃３０２においては、スイッチＳＷ１がＯＮしているか否かを判定し、ＯＮされていなければステップ＃３０３へ進み、電源をＯＦＦするかどうかの判定を行い、ＯＦＦしない場合は上記ステップ＃３０２のスイッチＳＷ１のＯＮ，ＯＦＦの情報入力待ちの状態に戻る。つまり、何らかの要因で、カメラの電源が立ち上がった場合には、一定時間電源をＯＮにしておくことにより、スイッチの状態のチェックや表示の切り換えが可能となる。
【００３１】
また、上記ステップ＃３０３にて、電源をＯＦＦすると判定した場合にはステップ＃３０４へ進み、カメラのファインダ内や外部に配置された液晶表示器１１，１２内の不必要な部分の表示を液晶表示回路３を介して消灯し、電源をＯＦＦする。そして、次のステップ＃３０５にて、動作を終了する。
【００３２】
上記ステップ＃３０２において、スイッチＳＷ１がＯＮしていると判定した場合にはステップ＃３０６へ進み、測光回路７により被写体の測光（ＡＥ）を行い、各測光エリアにて得られる複数の測光出力をマイクロコンピュータ１によりＡ／Ｄ変換し、複数の測光結果より露出条件（絞り，シャッタスピード）の演算を行う。次のステップ＃３０７においては、焦点検出回路６を用いて、ラインセンサによる蓄積及びその結果の読み出しを行い、得られるセンサ出力のＡ／Ｄ値をもとに、既存のアルゴリズムで焦点検出を行い、複数の焦点検出点より最適な焦点検出ポイントを選択し、レンズ駆動量を演算した後に、合焦するようにレンズ制御回路２に演算で求めたレンズ駆動量を通信し、撮影レンズ１３を駆動し合焦させる。つまり、オートフォーカス（ＡＦ）動作を行う。なお、上記ステップ＃３０６及び＃３０７での一部の動作の詳細は、図９のフローチャートを用いて行う。
【００３３】
次のステップ＃３０８においては、前記ステップ＃３０６で演算されたＡＶ値／ＴＶ値を液晶表示回路３を介して液晶表示器１１，１２に表示する。また、上記ステップ＃３０７での焦点検出結果が合焦ならば、合焦表示も行う。続くステップ＃３０９においては、カメラの状態がレリーズを許可して良い状態か否かの判定を行う。例えば、ＡＦモードが“ワンショットモード”である場合は、上記ステップ＃３０７での焦点検出結果が合焦ならばレリーズは許可され、スイッチＳＷ２のチェックを行う為にステップ＃３１０へ進み、一方、合焦でない場合は、スイッチＳＷ１のチェックを行うステップ＃３０１へ戻る。そして、ここでスイッチＳＷ１がＯＮの場合は、再び前述した測光（ＡＥ），焦点検出（ＡＦ），表示を行う。
【００３４】
次のステップ＃３１０においては、スイッチＳＷ２がＯＮしているか否かを判定し、ＯＦＦの場合はスイッチＳＷ１のチェックを行うステップ＃３０１へ戻り、ここでスイッチＳＷ１がＯＮの場合は、再び前述した測光（ＡＥ），焦点検出（ＡＦ），表示を行う。また、スイッチＳＷ２がＯＮの場合はレリーズ動作を行う為にステップ＃３１１以降へと進む。
【００３５】
ステップ＃３１１においては、モータ制御回路９により不図示のクイックリターンミラーをアップすると共に、上記ステップ＃３０６で決められた絞り量をレンズ制御回路２を介して撮影レンズ１３に通信し、設定露光量が得られるように絞り込み動作を行う。そして、次のステップ＃３１２において、シャッタ制御回路８を用いて、上記ステップ＃３０６で決められたＴＶ量が得られるように不図示のシャッタ先幕及び後幕の走行制御を行う。続くステップ＃３１３においては、上記モータ制御回路９によりクイックリターンミラーをダウンすると同時に、シャッタのチャージ、つまり上記ステップ＃３０６で絞り込まれていた絞りを開放に戻す。最後に、ステップ＃３１４において、モータ制御回路９を用いてマイクロコンピュータ１からの制御信号に従って給送モータを駆動し、フィルムの巻上げを行う。そして、次の撮影に備える為にスイッチＳＷ１のチェックを行うステップ＃３０１へ戻る。
【００３６】
次に、上記ステップ＃３０７にて実行されるオートフォーカス動作時の補助光要否等について少し詳しく説明する。
【００３７】
ステップ４０１より動作を開始し、まずステップ４０２において、補助光が必要かどうかの判定を行い、補助光が必要な場合はステップ４０３へ進み、一方補助光が必要でない場合は直ちにステップ４０４へ進む。ここで、補助光が必要であるかどうかの判定基準は、センサ出力のコントラスト等を用いる。また、複数の焦点検出点のうちいずれかの焦点検出点が補助光が必要な場合は、補助光を用いて焦点検出動作を行う。
【００３８】
ステップ４０３においては、内蔵補助光駆動回路１５を用いて不図示の内蔵補助光を点灯する。また、外付けストロボ１４が装着されている場合はストロボ調光制御回路５を介して該外付けストロボ１４と通信して、該外付けストロボに内蔵されている補助光を点灯する。次のステップ４０４においては、不図示のラインセンサに像を蓄積する。そして、次のステップ４０５において、補助光を消灯する。続くステップ４０６においては、複数の焦点検出点のデフォーカス量を演算し、信頼性等を判定した結果、合焦させる焦点検出点を選択する。そして、次のステップ４０７において、上記ステップ４０６で選択された焦点検出点のデフォーカス量をレンズ駆動量に換算し、レンズ制御回路２を介して撮影レンズ１３に駆動量を通信し、フォーカスレンズを合焦位置に移動させる。そして、ステップ４０８でこのオートフォーカス動作を終了する。
【００３９】
次に、図５〜図８を用いて、フィルムの（詳しくはフィルムカートリッジの外装面に具備された）ＤＸコードについて説明する。
【００４０】
図５は背蓋を開けた状態のカメラの背面図であり、５００はフィルムのＤＸコードを読むための電気接片群で、詳細には、５０１，５０２，５０３，５０４，５０５，５０６，５０７，５０８，５０９，５１０，５１１，５１２の電気接片より成り、図２のスイッチセンス回路４で読み取られ、マイクロコンピュータ１でＤＸコードの内容の解析が為される。
【００４１】
図６はフィルムを装填した状態を示すカメラの背面図であり、図７に示すフィルムカートリッジ２１に設けられたコード部が各接片に接触し、ＤＸコードの内容が読み取られる。つまり、図７の１から１２のパターンが、塗装され非導通か、塗装されず導通かを前記電気接片群５００が読み取り、図８の情報がフィルムカートリッジ２１より読み取られることになる。
【００４２】
次に、図１及び図９のフローチャートを用いて、本実施の形態における主要部分の動作について説明する。なお、図９のフローチャートは、図３のステップ＃３０６，ステップ＃３０７にて実行されるＡＥ，ＡＦ動作の一部である。
【００４３】
まず、図９のフローチャートにおいて、ステップ９００より動作を開始し、まずステップ９０１においては、各分割測光エリアにて得られる測光値を用いて制御値（ＥＶ値，ＡＶ値，ＴＶ値）を算出する。次のステップ９０２においては、図１の左端の焦点検出点ａに対応した測光エリア１０６の測光値と上記ステップ９０１で演算した制御値の差が、フィルムから読み取ったラチチュードより大きいかどうかの判定を行い、大きいと判定した場合は、焦点検出点ａの焦点検出は行わずに直ちにステップ９０４へ進み、大きくないと判定した場合は、焦点検出点ａの焦点検出を行うためにステップ９０３へ進む。
【００４４】
ステップ９０３においては、焦点検出点ａのセンサの蓄積，読み出し，デフォーカス演算を行う。次のステップ９０４においては、図１の左端中央の焦点検出点ｂに対応した測光エリア１０７の測光値と上記ステップ９０１で演算した制御値の差が、フィルムから読み取ったラチチュードより大きいかどうかの判定を行い、大きいと判定した場合は、焦点検出点ｂの焦点検出は行わずに直ちにステップ９０６へ進み、大きくないと判定した場合は、焦点検出点ｂの焦点検出を行うためにステップ９０５へ進む。ステップ９０５においては、焦点検出点ｂのセンサの蓄積，読み出し，デフォーカス演算を行う。
【００４５】
次のステップ９０６においては、図１の中央の焦点検出点ｃに対応した測光エリア１０９の測光値と上記ステップ９０１で演算した制御値の差が、フィルムから読み取ったラチチュードより大きいかどうかの判定を行い、大きいと判定した場合は、焦点検出点ｃの焦点検出は行わずに直ちにステップ９０８へ進み、大きくないと判定した場合は、焦点検出点ｃの焦点検出を行うためにステップ９０７へ進む。ステップ９０７において、焦点検出点ｃのセンサの蓄積，読み出し，デフォーカス演算を行う。
【００４６】
次のステップ９０８においては、図１の右中央の焦点検出点ｄに対応した測光エリア１０６の測光値と上記ステップ９０１で演算した制御値の差が、フィルムから読み取ったラチチュードより大きいかどうかの判定を行い、大きいと判定した場合は、焦点検出点ｄの焦点検出は行わずに直ちにステップ９１０へ進み、大きくないと判定した場合は焦点検出点ｄの焦点検出を行うためにステップ９０９へ進む。ステップ９０９において、焦点検出点ｄのセンサの蓄積，読み出し，デフォーカス演算を行う。
【００４７】
次のステップ９１０においては、図１の右端の焦点検出点ｅに対応した測光エリア１１０の測光値と上記ステップ９０１で演算した制御値の差が、フィルムから読み取ったラチチュードより大きいかどうかの判定を行い、大きいと判定した場合は、焦点検出点ｅの焦点検出は行わずに直ちにステップ９１２へ進み、大きくないと判定した場合は焦点検出点ｅの焦点検出を行うためにステップ９１１へ進む。ステップ９１１において、焦点検出点ａのセンサの蓄積，読み出し，デフォーカス演算を行う。
【００４８】
次のステップ９１２において、複数の焦点検出点のデフォーカス量、信頼性等を判定した結果、合焦させる焦点検出点を選択する。続くステップ９１３において、上記ステップ９１２で選択された焦点検出点のデフォーカス量をレンズ駆動量に換算する。そして、ステップ９１４において、上記ステップ９１３で演算されたレンズ駆動量をレンズ制御回路２を介してレンズ１３に駆動量を通信し、フォーカスレンズを合焦位置に移動させ、ステップ９１５で動作を終了する。
【００４９】
図１（ｂ）は、上記の図９にて説明した動作の概念図であり、１２１ａの模様で示される測光エリアは制御値との差がフィルムのラチチュード内であり、１２１ｂの模様で示される測光エリアは制御値に対してフィルムのラチチュード以上オーバーであり、１２１ｃの模様で示される測光エリアは制御値に対してフィルムのラチチュード以上アンダーであることを示す。
【００５０】
ここで、１２１ａの模様が重なったところ以外の焦点検出点については焦点検出しない。よって、左から２番目と右端の焦点検出点については焦点検出しないことを図１では示している。
【００５１】
以上の実施の第１の形態によれば、焦点検出点が非常に増えた場合に、シーンにより不必要な焦点検出を省略することで、焦点検出時間の短縮を可能とし、高速な多点のオートフォーカスを実現可能とすることができる。
【００５２】
以上は焦点検出を行うか否かの判定値として、フィルムから読み取ったラチチュード値をもとに行うようにしているが、これに限定されるものではなく、例えばこの判定値を、前記ラチチュードの１／２の値など、ラチチュードより演算にて得られた値としても良い。
【００５３】
（実施の第２の形態）
本発明の実施の第２の形態では、撮影シーンが突然大きく変わった場合にも対応がとれる例について説明する。
【００５４】
図１０は本発明の実施の第２の形態に係る主要部分のＡＥ，ＡＦ動作（上記実施の第１の形態における図９のフローチャートに対応する）を示すフローチャートであり、以下これに従って説明する。なお、その他の部分は上記実施の第１の形態と同様である為、省略する。
【００５５】
ステップ＃１０００より動作を開始し、まずステップ＃１００１においては、スイッチＳＷ１の初めて（１回目）のＯＮによる測光，焦点検出かの判定を行い、初めての測光，焦点検出の場合はステップ＃１００２へ進み、スイッチＳＷ１のＯＮによる初めての測光を行う。この場合、１度も焦点検出は行ってないので、分割測光の基準は中央焦点検出点とする。次のステップ＃１００３においては、初めての焦点検出を行う。よって、多点焦点検出のすべての焦点検出点について焦点検出を行う。そして、ステップ＃１００４で動作を終了する。
【００５６】
また、上記ステップ＃１００１にてスイッチＳＷ１の初めてのＯＮによる測光，焦点検出ではないと判定した場合にはステップ＃１００５へ進み、前回の焦点検出データに基づいて合焦ポイントを基準の分割測光演算を行い、露光制御値を決める。次のステップ＃１００６においては、上記ステップ＃１００５で演算した制御値（測光値）と前回の制御値（測光値）の差がある特定の値より大きいかどうかの判定を行い、大きいと判定した場合はステップ＃１００７へ進み、制御値が前回より大きくときは、今まで焦点検出していなかった焦点検出点にも被写体が現れている場合もあるので、すべての焦点検出点の焦点検出を行う。一方、大きいと判定しなかった場合はステップ＃１００６からステップ＃１００８へ進み、すべての焦点検出点に対して、制御値としての測光値が焦点検出点に対応した測光エリアの測光値との差が、フィルムのＤＸコードから読み取ったラチチュード以上ある場合、または、ある特定の値以上ある場合は、その焦点検出点の焦点検出は行わなず、そうでない場合はその焦点検出点の焦点検出を行う。つまり、ラチチュード範囲内の焦点検出点についてのみ、焦点検出を行う。そして、ステップ＃１００４にて動作を終了する。
【００５７】
以上の実施の第２の形態によれば、撮影シーンにより焦点検出時間の短縮を図ると共に、シーンが突然変化して輝度変化があった場合、被写体がフィルム上で再現されないとみなしている場所に、被写体が突如として現れても焦点検出が可能になり、シャッタチャンスを逃さず、的確にフィルム上に被写体を収めることが可能となる。
【００５８】
（実施の第３の形態）
この実施の第３の形態では、フィルムのＤＸコードを読み取る手段を有しないカメラに関する例について説明する。
【００５９】
図１１は本発明の実施の第３の形態に係る主要部分の動作（上記実施の第１の形態における図９のフローチャートに対応する）を示すフローチャートであり、以下これに従って説明する。なお、その他の部分は上記実施の第１の形態と同様である為、省略する。
【００６０】
ステップ＃１１００より動作を開始し、まずステップ＃１１０１において、分割測光センサ出力の各エリアの測光値を用いて制御値（ＥＶ値，ＡＶ値，ＴＶ値）を算出する。次のステップ＃１１０２においては、図１の左端の焦点検出点ａに対応した測光エリア１０６の測光値と上記ステップ＃１１０１で演算した制御値の差が、前もって決められた値より大きいかどうかの判定を行い、大きいと判定した場合は、焦点検出点ａの焦点検出は行わずに直ちにステップ＃１１０４へ進み、大きくないと判定した場合は、焦点検出点ａの焦点検出を行うためにステップ＃１１０３へ進む。ステップ＃１１０３においては、焦点検出点ａのセンサの蓄積，読み出し，デフォーカス演算を行う。
【００６１】
次のステップ＃１１０４においては、図１の左端中央の焦点検出点ｂに対応した測光エリア１０７の測光値と上記ステップ＃１１０１で演算した制御値の差が、前もって決められた値より大きいかどうかの判定を行い、大きいと判定した場合は、焦点検出点ｂの焦点検出は行わずに直ちにステップ＃１１０６へ進み、大きくないと判定した場合は、焦点検出点ｂの焦点検出を行うためにステップ＃１１０５へ進む。ステップ＃１１０５においては、焦点検出点ｂのセンサの蓄積，読み出し，デフォーカス演算を行う。
【００６２】
次のステップ＃１１０６においては、図１の中央の焦点検出点ｃに対応した測光エリア１０９の測光値と上記ステップ＃１１０１で演算した制御値の差が、前もって決められた値より大きいかどうかの判定を行い、大きいと判定した場合は、焦点検出点ｃの焦点検出は行わずに直ちにステップ＃１１０８に進み、大きくないと判定した場合は、焦点検出点ｃの焦点検出を行うためにステップ＃１１０７へ進む。ステップ＃１１０７においては、焦点検出点ｃのセンサの蓄積，読み出し，デフォーカス演算を行う。
【００６３】
次のステップ＃１１０８においては、図１の右中央の焦点検出点ｄに対応した測光エリア１０６の測光値と上記ステップ＃１１０１で演算した制御値の差が、前もって決められた値より大きいかどうかの判定を行い、大きいと判定した場合は、焦点検出点ｄの焦点検出は行わずに直ちにステップ＃１１１０へ進み、大きくないと判定した場合は、焦点検出点ｄの焦点検出を行うためにステップ＃１１０９へ進む。ステップ＃１１０９においては、焦点検出点ｄのセンサの蓄積，読み出し，デフォーカス演算を行う。
【００６４】
次のステップ＃１１１０においては、図１の右端の焦点検出点ｅに対応した測光エリア１１０の測光値と上記ステップ＃１１０１で演算した制御値の差が、前もって決められた値より大きいかどうかの判定を行い、大きいと判定した場合は、焦点検出点ｅの焦点検出は行わずに直ちにステップ＃１１１２に進み、大きくないと判定した場合は、焦点検出点ｅの焦点検出を行うためにステップ＃１１１１へ進む。ステップ＃１１１１においては、焦点検出点ａのセンサの蓄積，読み出し，デフォーカス演算を行う。
【００６５】
次のステップ＃１１１２においては、複数の焦点検出点のデフォーカス量，信頼性等を判定した結果、合焦させる焦点検出点を選択する。続くステップ＃１１１３においては、上記ステップ＃１１１２で選択された焦点検出点のデフォーカス量をレンズ駆動量に換算する。そして、ステップ＃１１１４において、上記ステップ＃１１１３で演算されたレンズ駆動量をレンズ制御回路２を介して撮影レンズ１３に駆動量を通信し、フォーカスレンズを合焦位置に移動させ、ステップ＃１１１５で動作を終了する。
【００６６】
以上の実施の第３の形態によれば、フィルムのＤＸコードを読み取る手段を持たないカメラにおいても、焦点検出点が非常に増えた場合に、シーンにより不必要な焦点検出を省略することで、焦点検出時間の短縮を可能とし、高速な多点のオートフォーカスを実現可能とするものである。
【００６７】
（実施の第４の形態）
この実施の第４の形態では、測光データにより焦点検出するしないの判定基準値を焦点検出点により重み付けしたり、撮影モードにより変更することで、より最適な焦点検出時間短縮判定を行う例について説明する。
【００６８】
図１２及び図１３は、本発明の実施の第４の形態における主要部分の動作を示すフローチャートである。
【００６９】
図１２のフローチャートにおいて、ステップ＃１２００より、焦点検出点別に測光出力により焦点検出するかしないかの判定基準値の演算を開始する。そして、まずステップ＃１２０１において、中央の焦点検出点かどうかの判定を行い、中央焦点検出点と判定した場合はステップ＃１２０２へ進み、前もって決められていた大き目の値を判定基準値として用いて、中央焦点検出点でないと判定した場合はステップ＃１２０３へ進み、前もって決められていた小さ目の値を判定基準値として用いる。
【００７０】
ステップ＃１２０２においては、大き目の判定基準値を用いるので、中央の測光エリアの測光値が分割測光の演算値から大きく外れてない限り焦点検出が行われることになる。また、ステップ＃１２０３においては、小さ目の判定基準値を用いるので、焦点検出点に対応した周辺の測光エリアの測光値が分割測光の演算値から少し外れても焦点検出が行われない。そして、ステップ＃１２０４にて動作を終了する。
【００７１】
以上の処理を行うことにより、被写体が居る可能性の高い中央の焦点検出点に重み付けした焦点検出演算時間の短縮が行え、より最適な効率化が図れる。
【００７２】
図１３のフローチャートにおいて、ステップ＃１３００において、焦点検出点別に測光出力により焦点検出するかしないかの判定基準値の演算を開始する。そして、まずステップ＃１３０１において、図１のスイッチＳＷ４にて焦点検出モードとして、“ワンショット（一度合焦した場合はフォーカスロックする）”と“サーボモード（常に被写体を追い続ける）”の何れが選択されているかの判定を行い、“ワンショト”が選択されていると判定した場合はステップ＃１３０２へ進み、前もって決められていた小さ目の値を判定基準値として用い、“サーボモード”が選択されていると判定した場合はステップ＃１３０３へ進み、前もって決められていた大き目の値を判定基準値として用いる。
【００７３】
ステップ＃１３０２においては、小さ目の判定基準値を用いるので、焦点検出点に対応した光エリアの測光値が分割測光の演算値から少し外れても焦点検出が行われない。また、ステップ＃１３０３においては、大き目の判定基準値を用いるので、サーボモード時は測光エリアの測光値が分割測光の演算値から大きく外れてない限り焦点検出が行われることになる輝度変化に対して安定した動作が可能となる。そして、ステップ＃１３０４で動作を終了する。
【００７４】
以上の処理を行うことにより、サーボモードで動体を撮影する時とワンショトモードで静止被写体を撮影する時で最適なカメラ動作が設定可能になる。
【００７５】
以上の実施の第４の形態によれば、より最適な自動化を実現することで撮影者の使用感を向上させることが可能となる。
【００７６】
（発明と実施の形態の対応）
上記の実施の各形態において、測光回路７が画面内を分割して測光することが可能な本発明の分割測光手段に、焦点検出回路６が本発明の多点焦点検出手段に、それぞれ相当する。
【００７７】
なお、以上が本発明の各構成と実施形態の各構成の対応関係であるが、本発明はこれら実施形態の構成に限られるものではなく、請求項に示した機構または実施形態の構成が待つ機能が達成できる構成であればどのようなものであってもよい。
【００７８】
以上が実施の形態の各構成と本発明の各構成の対応関係であるが、本発明は、これら実施の形態の構成に限定されるものではなく、請求項で示した機能、又は実施の形態がもつ機能が達成できる構成であればどのようなものであってもよいことは言うまでもない。
【００７９】
（変形例）
本発明は、一眼レフカメラに適用した例を述べているが、ビデオカメラや電子スチルカメラ等の種々の形態のカメラ、さらにはカメラ以外の光学機器やその他の装置に対しても適用できるものである。
【００８０】
更に、本発明は、以上の実施の各形態、又はそれらの技術を適当に組み合わせた構成にしてもよい。
【００８１】
【発明の効果】
以上説明したように、本発明によれば、焦点検出点を多く持つものにおいても、撮影シーンにより不要とみなせる焦点検出点については焦点検出動作を行わず、焦点検出に要する時間を短縮し、より最適な自動化を実現したカメラを提供できるものである。
【図面の簡単な説明】
【図１】本発明の実施の第１の形態に係る概念図である。
【図２】本発明の実施の各形態に係るカメラのブロック図である。
【図３】本発明の実施の各形態に係るカメラの動作を示すフローチャートである。
【図４】図３のステップ＃３０７での動作において補助光を使用する場合と使用しない場合について説明する為のフローチャートである。
【図５】本発明の実施の各形態に係るカメラの背蓋を外して示す背面図である。
【図６】図５の状態からフィルムカートリッジを装填した様子を示すカメラの背面図である。
【図７】本発明の実施の各形態に係るカメラに使用されるフィルムカートリッジを示す図である。
【図８】図７のＤＸコードより読み取り可能な情報の一例を示す図である。
【図９】本発明の実施の第１の形態に係るカメラの主要部分の動作を示すフローチャートである。
【図１０】本発明の実施の第２の形態に係るカメラの主要部分の動作を示すフローチャートである。
【図１１】本発明の実施の第３の形態に係るカメラの主要部分の動作を示すフローチャートである。
【図１２】本発明の実施の第４の形態に係るカメラの主要部分の動作を示すフローチャートである。
【図１３】同じく本発明の実施の第４の形態に係るカメラの主要部分の動作を示すフローチャートである。
【符号の説明】
１      マイクロコンピュータ
２      レンズ制御回路
３      液晶表示回路
４      スイッチセンス回路
５      ストロボ発光調光制御回路
６      焦点検出回路
７      測光回路
１０    電子ダイアル
１３    撮影レンズ
１４    外付けストロボ
１５    内蔵補助光駆動回路
【図１】
0004011683.tif 000002
【図２】
0004011683.tif 000003
【図３】
0004011683.tif 000004
【図４】
0004011683.tif 000005
【図５】
0004011683.tif 000006
【図６】
0004011683.tif 000007
【図７】
0004011683.tif 000008
【図８】
0004011683.tif 000009
【図９】
0004011683.tif 000010
【図１０】
0004011683.tif 000011
【図１１】
0004011683.tif 000012
【図１２】
0004011683.tif 000013
【図１３】
0004011683.tif 000014